(57)【要約】【課題】表示部材がラップトップモードからタブレットモードに、又はその逆に変換されるときに、ユーザが画像を手作業で調整又は向き変更する必要なく、又はこのような向き変更を発生させるために表示部材と基部との間の物理的な接触を必要とすることなく、表示要素により表示される画像の自動向き変更を可能にする。【解決手段】切り替え可能なコンピュータシステム（１０）は、基部部材（１４）に結合されて基部部材（１４）に対してラップトップモード又はタブレットモードのいずれかで位置決めされる表示部材（１２）と、表示部材（１２）の表示要素（３０）により表示される画像の向きを、表示要素（３０）が基部部材（１４）に対して再配置されることに応答して、自動的に変更するように構成されている非接触センサシステム（４０）とを備える。【選択図】図２Ａ
2006252546.tif 000002
【特許請求の範囲】
【請求項１】
基部部材に結合されて前記基部部材に対してラップトップモード又はタブレットモードのいずれかで位置決めされる表示部材と、
前記表示部材の表示要素により表示される画像の向きを、前記表示要素が前記基部部材に対して再配置されることに応答して、自動的に変更するように構成されている非接触センサシステムとを備えることを特徴とする切り換え可能なコンピュータシステム。
【請求項２】
前記非接触センサシステムは、前記表示要素が前記基部部材に対して近くに位置決めされることに応答して作動可能なスイッチを備えることを特徴とする請求項１に記載のシステム。
【請求項３】
前記スイッチは、前記表示要素が前記タブレットモードで前記基部部材の所定距離内に移動されることに応答して作動可能であることを特徴とする請求項２に記載のシステム。
【請求項４】
前記スイッチは、前記表示要素が前記基部部材に対して所定距離移動され前記ラップトップモードに移行することに応答して作動可能であることを特徴とする請求項２に記載のシステム。
【請求項５】
前記非接触センサシステムは、
磁石と、
前記磁石に応答するリードスイッチとを備えることを特徴とする請求項１に記載のシステム。
【請求項６】
前記非接触センサシステムは、前記表示部材に配置され、前記表示部材が前記タブレットモードに位置決めされているときに、前記基部部材内のセンサ要素と位置合わせされるセンサ要素を備えることを特徴とする請求項１に記載のシステム。
【請求項７】
前記非接触センサシステムは、前記表示要素が前記タブレットモードに位置決めされているときに、前記画像の向きを横向きモードから縦向きモードに自動的に変更するように構成されていることを特徴とする請求項１に記載のシステム。
【請求項８】
前記非接触センサシステムは、前記表示要素が前記ラップトップモードに位置決めされているときに、前記画像の向きを縦向きモードから横向きモードに自動的に変更するように構成されていることを特徴とする請求項１に記載のシステム。
【請求項９】
前記非接触センサシステムは、前記コンピュータシステムのヒンジアセンブリに対する前記表示部材の遠位位置に配置されるセンサ要素を備えることを特徴とする請求項１に記載のシステム。
【請求項１０】
前記非接触センサシステムは、前記表示要素が前記基部部材に対して再配置されることに応答して、前記画像の向きを自動的に変更するように構成されていることを特徴とする請求項１に記載のシステム。
【発明の詳細な説明】
【技術分野】
【０００１】
本発明は、切り替え可能なコンピュータシステムに関する。
【背景技術】
【０００２】
切り替え可能なポータブルコンピュータでは一般に、ポータブルコンピュータの基部に対して、ポータブルコンピュータの表示部材を回転する、又は他の方法で向きを変えることによって、ノート型モードすなわちクラムシェルモードからタブレットモードに変換することができる。
【発明の開示】
【発明が解決しようとする課題】
【０００３】
しかし、ポータブルコンピュータをノート型モードからタブレットモードに、又はその逆に変更した後、表示部材に表示されている画像の閲覧向きを変更することが望ましく、そのため、ユーザがポータブルコンピュータをさらに操作する（たとえば、ポータブルコンピュータを回転させる）か、又は他の行動をとり（たとえば、アイコン又は他のソフトウェアベースのメカニズムを選択し）、ポータブルコンピュータにより表示される画像の向きを変更する必要がある。ポータブルコンピュータの一種は、機械式スイッチ機構を利用するスイッチへの物理的な接触（たとえば、表示部材がタブレットモードに位置決めされているときに、基部に搭載されたスイッチと表示部材から延出するアーム又は他のタイプの構造との接触）、及び／又はスイッチが作動することに応答して、表示画像の向きを変更する。しかし、このようなタイプの機構ではダメージを受けやすく、且つ／又は（たとえば、埃、汚れ、又は他のタイプのゴミからの）悪影響を受けやすい。
【課題を解決するための手段】
【０００４】
本発明の切り替え可能なコンピュータシステムは、基部部材に結合されて基部部材に対してラップトップモード又はタブレットモードのいずれかで位置決めされる表示部材と、表示部材の表示要素により表示される画像の向きを、表示要素が基部部材に対して再配置されることに応答して、自動的に変更するように構成されている非接触センサシステムとを備えることを特徴とする。
【０００５】
本発明及び本発明の利点をより完全に理解するために、添付図面と併せて以下の説明をする。
【発明を実施するための最良の形態】
【０００６】
本発明の好ましい実施形態及び本発明の利点は、同様の番号が各図面の同様且つ対応する部分に使用される図面である図１Ａ〜図２Ｂを参照することによって最良に理解される。
【０００７】
図１Ａ〜図１Ｃは、本発明による切り替え可能なコンピュータシステム１０の一実施形態を示す図である。図１Ａ〜図１Ｃに示す実施形態では、コンピュータシステム１０は基部（基部部材）１４に結合された表示部材１２を備え、表示部材１２を基部１４に対して、図１Ａ中で概して１６で示すノート型モード若しくはラップトップモードで、又は図１Ｃで概して１８で示すタブレットモードで位置決めすることができる。たとえば、図１Ａ〜図１Ｃに示す実施形態では、表示部材１２はヒンジアセンブリ２０によって基部１４に結合される。このことによって、表示部材１２は基部１４に対して、図１Ａ中に概して２４で示す方向での軸２２を中心とする回転をすることができる。また、表示部材１２は基部１４に対して、図１Ｂ中に概して２８で示す方向での軸２６を中心とする回転をすることができる。
【０００８】
したがって動作に際して、コンピュータシステム１０では、表示部材１２を概して２８で示す方向での軸２６を中心とする回転をさせるとともに、表示部材１２を概して２４で示す方向での軸２２を中心とする回転をさせて、表示部材１２の表示要素３０をラップトップモード１６（図１Ａ）又はタブレットモード１８（図１Ｃ）のいずれかに対応する所望の位置に位置決めすることにより、ラップトップモード１６からタブレットモード１８に、又はその逆に切り替え可能であり、且つ／又は他の方法で変換可能である。図１Ａ〜図１Ｃは、ラップトップモード１６からタブレットモード１８に切り替えられ、且つ／又は他の方法で変換されているコンピュータシステム１０を進行的に示す。つまり、タブレットモード１８では、表示部材１２は基部１４を背にして位置決めされ、且つ／又は他の方法で基部１４の近くで位置決めされて、タブレットモード１８で表示要素３０を使用することができる。コンピュータシステム１０は、図１Ａ〜図１Ｃに示す動作を逆に行うことにより、タブレットモード１８からラップトップモード１６に切り替え可能且つ／又は他の方法で変換可能であることを理解されるべきである。
【０００９】
図２Ａ及び図２Ｂは、一部を取り除いた図１Ａ〜図１Ｃのコンピュータシステム１０の実施形態を示す図である。図２Ａ及び図２Ｂに示す実施形態では、コンピュータシステム１０は、非接触センサシステム４０を備える。非接触センサシステム４０は、表示要素３０が、タブレットモード１８に若しくはタブレットモード１８から変換され、且つ／又は、表示要素３０が、他の方法で基部１４に対して再配置される（たとえば、タブレットモード１８での場合のように、表示要素３０を基部１４とは反対の方向に向かせる位置へ、又はラップトップモード１６での場合のように、表示要素３０を基部１４と対面する位置へ配置を変更する）ことに応答して、表示部材１２の表示要素３０により表示される画像の向きを自動的に変更し、且つ／又は修正する。たとえば、図２Ａ及び図２Ｂに示す実施形態では、センサシステム４０は、基部１４に配置されたセンサ要素４２、及び表示部材１２に配置されたセンサ要素４４を備える。このことによってセンサシステム４０は、センサ要素４２及び４４が互いに所定の距離内且つ／又は近接して位置決めされることに応じて、表示要素３０により表示される画像の向きを自動的に変更する。したがって、表示要素３０により表示される画像の向きを自動的に変更するための、基部１４と表示部材１２の間の接点及び／又は基部１４と表示部材１２との間に延出する任意のスイッチ、ラッチ、又は他のタイプの構造に対する必要性が軽減する。図２Ａ及び図２Ｂに示す実施形態では、センサ要素４２はリードスイッチ４８を備え、センサ要素４４は磁石５０を備える。このことによって、リードスイッチ４８は磁石５０により発生する磁界に応答することができる。しかし、タブレットモード１８での基部１４に対する表示部材１２の位置であることを検出するために、他のタイプの非接触センサ要素が非接触センサシステム４０に使用されてもよいことが理解される。さらに、リードスイッチ４８及び磁石５０の場所及び／又は位置は逆（たとえば、リードスイッチ４８が表示部材１２に配置され、磁石５０が基部１４に配置される）にしてもよいことを理解される。
【００１０】
図２Ａ及び図２Ｂに示す実施形態では、表示部材１２がラップトップモード１６で位置決めされている場合、センサ要素４２及び４４はそれぞれ、図２Ａに概して５２で示すように、システム１０の中間面５２に対してそれぞれ非対称に基部１４及び表示部材１２に配置されるとともに、中間面５２に対して互いに対向して配置される。さらに、センサ要素４２及び４４はそれぞれ、表示部材１２が図１Ｃに示すようなタブレットモード１８で配置されている場合に、概して互いに位置が合うように（互いに近接するように）、基部１４及び表示部材１２に配置される。さらに、センサ要素４２及び４４は、ヒンジアセンブリ２０から離れて、基部１４及び表示部材１２のそれぞれに配置される。しかし、センサ要素４２及び４４はそれぞれ基部１４及び表示部材１２に別様に（たとえば、それぞれが、ヒンジアセンブリ２０の近く、ヒンジアセンブリ２０と基部１４及び表示部材１２の遠位位置との中間位置、又は他の場所で）配置されてもよいことを理解される。これに対応して、ラップトップモード１６においてセンサ要素４２及び４４がシステム１０の中間面５２に対して非対称に、且つコンピュータシステム１０の中間面５２に対して互いに対向することで、表示部材１２がラップトップモード１６である場合に、表示部材１２が基部１４に対して閉じられたときにセンサ要素４２及び４４の相互作用が発生しない。
【００１１】
したがって動作に際して、図２Ｂを参照すると、表示部材１２が軸２６を中心として回転し（図１Ｂ）、次いでそれに対応して軸２２を中心として回転して（図１Ａ）表示部材１２をタブレットモード１８に位置決めすると（図１Ａ〜図１Ｃに示すように）、センサ要素４４は概してセンサ要素４２の場所に位置合わせ（近接して配置）される。さらに、表示部材１２が軸２２を中心として回転してタブレットモード１８になると、磁石５０により発生する磁界がリードスイッチ４８に近くなり、リードスイッチ４８が作動する。リードスイッチ４８が作動すると、割り込み及び／又は他のタイプの信号が、コンピュータシステム１０のハードウェア、ソフトウェア、又はハードウェア及びソフトウェアの組み合わせを介して生成され、且つ／又は他の方法で処理されて、表示要素３０により表示される画像の向きを自動的に変更する。したがって、センサ要素４４がセンサ要素４２に近くなると（たとえば、センサ要素４４がセンサ要素４２までの所定の距離内にくるか、且つ／又は他の方法でセンサ要素４２に近接すると）、それによって表示部材１２がタブレットモード１８に位置決めされていることを示し、センサシステム４０は表示要素３０により表示される画像の向きを自動的に変更する（たとえば、横向きモードから縦向きモードに変更する）。これに対応して、本発明のいくつかの実施形態では、コンピュータシステム１０をタブレットモード１８からラップトップモード１６に切り替え、且つ／又は他の方法で変換すると、表示要素３０により表示される画像の向きを、先の向き（タブレットモード１８に切り替えられる以前の向き）に再び向ける。たとえば、動作に際して、表示部材１２が基部１４から離れて移動して、コンピュータシステム１０をタブレットモード１８からラップトップモード１６に変換すると、磁石５０がリードスイッチ４８から離れて移動し、それによってリードスイッチ４８付近のエリアでの磁石５０の磁界が低減且つ／又は最終的に消散し、リードスイッチ４８が作動停止する。したがって、リードスイッチ４８が作動停止すると、表示要素３０により表示される画像は元の、すなわち前回の向きに再び向けられる。
【００１２】
図２Ａ及び図２Ｂに示す実施形態では、センサ要素４２及び４４は基部の筐体５４内及び表示部材の筐体５６内にそれぞれ配置され、それによってユーザがセンサシステム４０に影響を及ぼすことが防止され、且つ／又はなくなり、また、センサシステム４０に対するゴミや他のタイプのダメージの危険性が回避され、且つ／又はなくなる。さらに、図２Ａ及び図２Ｂに示すように、実質的に、いずれのタイプの基部１４及び表示部材１２も、このような基部１４及び表示部材１２が元々そのような用途に向けて構成されていたか否かに関わらず、ラップトップモード１６及びタブレットモード１８の両方を可能にするシステムで使用されるように、基部１４及び表示部材１２は容易に構成可能であり、且つ／又は適応可能である。たとえば、図２Ａ及び図２Ｂに示す実施形態では、センサ要素４２は、基部１４に挿入され、且つ／又は他の方法で配置され、システム１０内のマザーボード又は他の電子アセンブリに通信可能に結合されるプリント配線基板アセンブリ６０に配置される。このことによって、このような切り替え可能な用途のために特に構成された基部１４を製造する必要性が低減する。同様に、図２Ａ及び図２Ｂに示す実施形態では、磁石５０は、表示部材の筐体５６内であって一般には使用されない、すなわちオープンエリアに配置される。このことによってこのような切り替え可能な用途に向けて特に構成された表示部材１２を製造するいずれの必要性も低減する。さらに、本発明の実施形態では、表示部材１２がラップトップモード１６からタブレットモード１８に、及び／又はその逆に変換されるときに、ユーザが画像を手作業で調整又は向き変更する必要なく、且つ／又はこのような向き変更を発生させるために表示部材１２と基部１４の間の物理的な接触を必要とすることなく、表示要素３０により表示される画像の自動向き変更が可能になる。
【図面の簡単な説明】
【００１３】
【図１Ａ】各種使用モードで示す本発明によるコンピュータシステムの一実施形態を示す図である。
【図１Ｂ】各種使用モードで示す本発明によるコンピュータシステムの一実施形態を示す図である。
【図１Ｃ】各種使用モードで示す本発明によるコンピュータシステムの一実施形態を示す図である。
【図２Ａ】一部を取り除いた図１Ａ〜図１Ｃに示すコンピュータシステムの一実施形態を示す図である。
【図２Ｂ】一部を取り除いた図１Ａ〜図１Ｃに示すコンピュータシステムの一実施形態を示す図である。
【符号の説明】
【００１４】
１０        コンピュータシステム
１２        表示部材
１４        基部（基部部材）
１６        ラップトップモード
１８        タブレットモード
３０        表示要素
【図１Ａ】
2006252546.tif 000003
【図１Ｂ】
2006252546.tif 000004
【図１Ｃ】
2006252546.tif 000005
【図２Ａ】
2006252546.tif 000006
【図２Ｂ】
2006252546.tif 000007